(57)【要約】【課題】結婚式などのイベントに付随するギフトの贈答を被贈答者が円滑にかつ迅速に受領でき、さらに、イベントに関わる諸雑務をサポートするイベントサポートシステムとその方法及びそのプログラムを提供することである。【解決手段】被贈答者情報を書き込み可能に格納する被贈答者情報格納部１５と、被贈答者毎に固有記号を作成する固有記号設定部２，３と、案内を被贈答者毎に作成する案内発行処理部４と、贈答者から被贈答者へのメッセージ情報を格納するメッセージ情報格納部１７と、画像情報を格納する画像情報格納部１８と、固有記号を入力してメッセージ情報及び画像情報を読み出して閲覧可能に処理する情報閲覧処理部５とを有するものである。【選択図】  図１
2004240545.tif 000002
【特許請求の範囲】
【請求項１】
イベントに関係する被贈答者情報を書き込み可能に格納する被贈答者情報格納部と、この被贈答者情報格納部から被贈答者情報を読み出して被贈答者毎に固有記号を作成する固有記号設定部と、この固有記号を認知可能に備えた案内を被贈答者毎に作成する案内発行処理部と、前記イベントに関係する贈答者から前記被贈答者へのメッセージ情報を書き込み可能に格納するメッセージ情報格納部と、前記イベントに関係する画像情報を書き込み可能に格納する画像情報格納部と、前記固有記号設定部によって作成される固有記号を入力して前記メッセージ情報格納部に記載されている前記メッセージ情報あるいは前記画像情報格納部に記載されている前記画像情報を読み出して閲覧可能に処理する情報閲覧処理部とを有することを特徴とするイベントサポートシステム。
【請求項２】
前記固有記号設定部によって作成される固有記号を入力して読み出される商品情報を格納する商品情報格納部と、この商品情報格納部から商品情報を読み出して閲覧し商品の選択を可能とする商品閲覧選択部と、この商品閲覧選択部によって選択される商品の発送を指示する商品発送処理部と、前記商品の発送の状況を判断して商品発送報告書の作成を指示する報告書発行部とを具備することを特徴とする請求項１記載のイベントサポートシステム。
【請求項３】
前記商品閲覧選択部は、前記被贈答者が前記贈答者に対してメッセージを作成するメッセージ作成手段を有することを特徴とする請求項２記載のイベントサポートシステム。
【請求項４】
前記商品発送処理部は、商品の重複発送を防ぐ重複発送防止手段を有することを特徴とする請求項２又は請求項３記載のイベントサポートシステム。
【請求項５】
前記情報閲覧処理部は、前記贈答者が前記被贈答者毎に作成するメッセージを表示することを特徴とする請求項１乃至請求項４のいずれか１に記載のイベントサポートシステム。
【請求項６】
前記情報閲覧処理部は、前記贈答者が前記被贈答者毎に作成する画像を表示することを特徴とする請求項１乃至請求項５のいずれか１に記載のイベントサポートシステム。
【請求項７】
前記案内発行処理部は、前記イベント終了後に被贈答者に対する返礼カードを作成する返礼カード発行処理部を具備することを特徴とする請求項１乃至請求項６のいずれか１に記載のイベントサポートシステム。
【請求項８】
前記返礼カード発行処理部は、前記イベントにおける前記被贈答者毎に記載する内容を選択することを特徴とする請求項７記載のイベントサポートシステム。
【請求項９】
前記案内発行処理部は、前記イベント終了後に時間を経て開催される少なくとも１の後行事に関する案内を作成する後行事案内発行処理部を具備することを特徴とする請求項１乃至請求項８のいずれか１に記載のイベントサポートシステム。
【請求項１０】
イベントに関係する被贈答者情報を書き込み可能に格納する工程と、この被贈答者情報を読み出して被贈答者毎に固有記号を作成する工程と、この固有記号を認知可能に備えた案内を被贈答者毎に作成する工程と、前記イベントに関係する贈答者から前記被贈答者へのメッセージ情報を書き込み可能に格納する工程と、前記イベントに関係する画像情報を書き込み可能に格納する工程と、前記固有記号の入力を受けたときに前記メッセージ情報又は画像情報を読み出して閲覧可能に処理する工程とを有することを特徴とするイベントサポート方法。
【請求項１１】
前記固有記号を入力して読み出される商品情報を閲覧して商品を選択可能とする工程と、選択される商品の発送を指示する工程と、前記商品の発送の状況を判断して商品発送報告書の作成を指示する工程とを有することを特徴とする請求項１０記載のイベントサポート方法。
【請求項１２】
イベントに関係する被贈答者情報を書き込み可能に格納する工程と、この被贈答者情報を読み出して被贈答者毎に固有記号を作成する工程と、この固有記号を認知可能に備えた案内を被贈答者毎に作成する工程と、前記イベントに関係する贈答者から前記被贈答者へのメッセージ情報を書き込み可能に格納する工程と、前記イベントに関係する画像情報を書き込み可能に格納する工程と、前記固有記号の入力を受けたときに前記メッセージ情報又は画像情報を読み出して閲覧可能に処理する工程とをコンピュータに実行させることを特徴とするイベントサポートプログラム。
【請求項１３】
前記固有記号を入力して読み出される商品情報を閲覧して商品を選択可能とする工程と、選択される商品の発送を指示する工程と、前記商品の発送の状況を判断して商品発送報告書の作成を指示する工程とをコンピュータに実行させることを特徴とする請求項１２記載のイベントサポートプログラム。
【発明の詳細な説明】
【０００１】
【発明の属する技術分野】
本発明は、イベントサポートシステムとその方法及びそのプログラムに係わり、特にイベントに付随する作業をサポートするイベントサポートシステムとその方法及びそのプログラムに関する。
【０００２】
【従来の技術】
一般に、結婚式などのイベントを行う場合、主催者である結婚当事者は会場や列席者の選定あるいは引き出物の準備など様々な決断事項を抱えて多忙を極める。また、結婚式当日に受領する祝電は予め予想できるものではなく、イベント終了後においても祝電等に対する礼状の作成など諸雑務が山積するのが実情である。
これらの作業の中で、特に引き出物に関しては、趣味の多様性や遠方からの列席者への配慮からカタログを用いて列席者本人が選定でき、なおかつ所定の場所まで配送してくれる方法が人気を集めている。しかしながら、従来のカタログによるギフト方法では、カタログに掲載できる品数に限界があり、また、商品のリニューアルに時間がかかるという課題があった。そこで、インターネットを利用したギフトシステムが考えられている。
【０００３】例えば、特許文献１には、「サイバースペースにおける匿名コミュニケーションでのギフトを現実空間で取扱う電子ギフトショップ」として、インターネット上で、匿名コミュニケーションにおけるギフトの贈答を可能にする発明が開示されている。
この特許文献１に開示された発明では、インターネット上で本名や住所などを知らない匿名知人間であってもその匿名知人との匿名性を有する人間関係を維持しつつギフトやメッセージを贈ることができ、また、ギフト相手はギフト主にお礼のメールを送付することができる。さらに、ギフト相手は複数のギフト商品からの選択やギフト商品の変更、そして受領の拒絶を行うこともできる。
【０００４】また、特許文献２には、「オンラインギフト方法」として、「通信ネットワークを利用してギフト商品を贈答する方法であって、贈答人もしくは被贈答人が登録した被贈答人に関する被贈答人情報に基礎付けられたところのギフト商品取扱い業者が提供する当該被贈答人に対する好適なギフト商品に関する好適商品情報を少なくとも商品選択情報として、贈答人が被贈答人に対するギフト商品を選択して贈答するオンラインギフト方法」が開示されている。
この特許文献２に開示された発明では、贈答人は事前に被贈答人の好みに関する情報を登録することによって被贈答人の嗜好に合わせたギフトを贈答することができる。被贈答人は、贈答人から送付される被贈答人の嗜好に適したギフト商品情報が収録されたＣＤ−ＲＯＭを利用してオンラインで商品を選択することによって、好みのギフト商品を確実に受領することができる。また、インターネット上でコミュニケーションが取れるので離れた場所に存在する複数の贈答人の間で会話して相談することができ、被贈答人に適したギフト商品を選定することができる。
【０００５】そして、特許文献３には、「ギフトシステムおよびギフト方法」として「ギフトの申込人からの依頼に応じてギフトの受取人に対して送付される電子記憶媒体と、前記電子記憶媒体を読み取り可能で且つインターネットに接続可能な情報処理装置と、前記電子記憶媒体の作用により前記情報処理装置がインターネットに接続された状態において前記受取人に対して提示されるページを管理するためのサーバーとを備え、前記受取人は前記ページにおいてギフト商品の選択および送付の申込みを行うことを特徴とするギフトシステム」が開示されている。
この特許文献３に開示された発明では、ギフト受取人はＣＤ−ＲＯＭのような電子記憶媒体を利用してインターネットに接続すると、専用ページ上においてギフト商品を閲覧後選択し、そして選択したギフト商品の送付の申込みを行うことができる。したがって、ギフト申込人はギフト受取人に対して選択可能なギフト商品に関する情報を充分に伝達することができ、かつ選択されたギフト商品をギフト受取人に対して迅速に送付することができる。また、ＣＤ−ＲＯＭの代わりにはがきに記載されたＩＤとパスワードを利用することによってギフト受取人はインターネット上で同様の作業を行うこともできるようになっている。
【０００６】
【特許文献１】
特開２００２−２４５２８０号公報
【特許文献２】
特開２００２−７７５２号公報
【特許文献３】
特開２００２−１２３７１１号公報
【０００７】
【発明が解決しようとする課題】
しかしながら、特許文献１に記載された従来の技術では、匿名の人へのギフト送付を可能にしているが、結婚式の列席者のような親しい知人の嗜好に合わせて迅速かつ確実にギフトの送付が行えないという課題があった。
また、特許文献２及び特許文献３に記載された従来の技術では、インターネットを使用しない環境にいる人に対してはこれらのギフト方法はうまく機能しないという課題があった。
さらに、いずれの従来の技術においても、結婚式等のイベントを開催する場合に付随するギフトの贈答以外に、例えば、結婚式などのイベントに関連した画像や映像を欠席者も含めてリアルタイムで閲覧可能に発信したり、祝辞に対する礼状の作成などイベントを総合的にサポートする機能を有していないという課題があった。
【０００８】本発明はかかる従来の事情に対処してなされたものであり、結婚式などのイベントに付随するギフトの贈答を被贈答人が円滑にかつ迅速に受領でき、さらに、イベントに関わる諸雑務をサポートするイベントサポートシステムとその方法及びそのプログラムを提供することを目的とする。
【０００９】
【課題を解決するための手段】
上記目的を達成するため、請求項１記載の発明であるイベントサポートシステムは、イベントに関係する被贈答者情報を書き込み可能に格納する被贈答者情報格納部と、この被贈答者情報格納部から被贈答者情報を読み出して被贈答者毎に固有記号を作成する固有記号設定部と、この固有記号を認知可能に備えた案内を被贈答者毎に作成する案内発行処理部と、イベントに関係する贈答者から被贈答者へのメッセージ情報を書き込み可能に格納するメッセージ情報格納部と、イベントに関係する画像情報を書き込み可能に格納する画像情報格納部と、固有記号設定部によって作成される固有記号を入力してメッセージ情報格納部に記載されているメッセージ情報あるいは画像情報格納部に記載されている画像情報を読み出して閲覧可能に処理する情報閲覧処理部とを有するものである。
上記構成のイベントサポートシステムにおいて、被贈答者は、被贈答者毎に作成され案内される固有記号を用いて、贈答者から提供されるメッセージ及び画像を自由に閲覧するという作用を有する。
【００１０】また、請求項２に記載の発明であるイベントサポートシステムは、請求項１記載のイベントサポートシステムにおいて、固有記号設定部によって作成される固有記号を入力して読み出される商品情報を格納する商品情報格納部と、この商品情報格納部から商品情報を読み出して閲覧し商品の選択を可能とする商品閲覧選択部と、この商品閲覧選択部によって選択される商品の発送を指示する商品発送処理部と、商品の発送の状況を判断して商品発送報告書の作成を指示する報告書発行部とを具備するものである。
上記構成のイベントサポートシステムにおいては、請求項１に記載の発明の作用に加えて、被贈答者は固有記号を用いて商品情報を閲覧して商品を選択し、選択される商品は発送の指示を受けて発送され、そして、この発送の状況を記載する商品発送報告書を作成するという作用を有する。
【００１１】請求項３の発明であるイベントサポートシステムは、請求項２に記載のイベントサポートシステムにおいて、商品閲覧選択部は、被贈答者が贈答者に対してメッセージを作成するメッセージ作成手段を有するものである。
【００１２】請求項４の発明であるイベントサポートシステムは、請求項２又は請求項３記載のイベントサポートシステムにおいて、商品発送処理部は、商品の重複発送を防ぐ重複発送防止手段を有するものである。
【００１３】請求項５の発明であるイベントサポートシステムは、請求項１乃至請求項４に記載のイベントサポートシステムにおいて、情報閲覧処理部は、贈答者が被贈答者毎に作成するメッセージを表示するものである。
【００１４】請求項６の発明であるイベントサポートシステムは、請求項１乃至請求項５に記載のイベントサポートシステムにおいて、情報閲覧処理部は、贈答者が被贈答者毎に作成する画像を表示するものである。
【００１５】請求項７の発明であるイベントサポートシステムは、請求項１乃至請求項６に記載のイベントサポートシステムにおいて、案内発行処理部は、イベント終了後に被贈答者に対する返礼カードを作成する返礼カード発行処理部を具備するものである。
【００１６】請求項８の発明であるイベントサポートシステムは、請求項７に記載のイベントサポートシステムにおいて、返礼カード発行処理部は、イベントにおける被贈答者毎に記載する内容を選択するものである。
【００１７】請求項９の発明であるイベントサポートシステムは、請求項１乃至請求項８に記載のイベントサポートシステムにおいて、案内発行処理部は、イベント終了後に時間を経て開催される少なくとも１の後行事に関する案内を作成する後行事案内発行処理部を具備するものである。
【００１８】請求項１０の発明であるイベントサポート方法は、請求項１に記載の発明を方法として捉えたものであり、その作用は請求項１に記載の発明と同様である。
【００１９】請求項１１の発明であるイベントサポート方法は、請求項２に記載の発明を方法として捉えたものであり、その作用は請求項２に記載の発明と同様である。
【００２０】請求項１２の発明であるイベントサポートプログラムは、請求項１に記載の発明をコンピュータによって実行するものであり、その作用は請求項１に記載の発明と同様である。
【００２１】請求項１３の発明であるイベントサポートプログラムは、請求項２に記載の発明をコンピュータによって実行するものであり、その作用は請求項２に記載の発明と同様である。
【００２２】
【発明の実施の形態】
以下に、本発明に係るイベントサポートシステムの実施の形態を図１乃至図１５に基づき説明する。（請求項１乃至請求項６に対応）
図１は本発明の本実施の形態に係るイベントサポートシステムの構成図である。
図１において、本実施の形態におけるイベントサポートシステム本体１は、認証ＩＤ設定部２、パスワード設定部３、カード発行処理部４、ホームページ処理部５、商品閲覧選択部６、商品発送処理部７、報告書発行部８、メッセージ処理部９及び画像処理部１０から構成されている。
【００２３】符号１１はデータベースを表しており、このデータベース１１には、認証ＩＤデータベース１２、乱数データベース１３、贈答者データベース１４、被贈答者データベース１５、商品データベース１６、メッセージデータベース１７及び画像データベース１８等が格納されており、これらのデータベースは、入力部１１から情報を随時書き込むことができる。
このデータベース１１やイベントサポートシステム本体１に対して、利用者は入力部１９よりアクセスすることができ、出力部２０を介してデータベース１１に格納されている様々なデータやイベントサポートシステム本体１において処理された種々の情報の内容や処理の結果について閲覧したり、それらを取り出したりすることができる。
【００２４】認証ＩＤデータベース１２には認証ＩＤ設定部２において設定する認証ＩＤに関する情報が格納されており、乱数データベース１３にはパスワード設定部３において設定するパスワードを作成する乱数が格納されている。
また、贈答者データベース１４には、結婚式などのイベントを主催して引き出物等を被贈答者に贈答する主催者の氏名、住所、電話番号、電子メールアドレス等の贈答者に関する情報や、結婚式日時、会場等のイベントに関する情報が格納されている。被贈答者データベース１５には、前述の結婚式に参列あるいは関係し、贈答者が引き出物等を贈答する対象の人の氏名、住所、電話番号、電子メールアドレス等の被贈答者に関する情報が格納されている。この被贈答者データベース１５には、さらに、結婚の有無、家族構成など贈答品を選択する上で、被贈答者の嗜好を判断する情報を格納するようにすることもできる。
【００２５】商品データベース１６には、贈答者から被贈答者に贈答されるギフト商品の種類、在庫数や価格等の情報が格納されている。
メッセージデータベース１７及び画像データベース１８には、贈答者、被贈答者あるいはギフト商品を取扱う取扱い企業、イベント会場が作成するメッセージ、すなわち文字情報や音声情報及び画像情報がそれぞれ格納されている。特に贈答者が作成する文字情報や音声情報は、被贈答者へのお礼などのメッセージを含むものであり、画像情報は、例えば贈答者が新郎新婦である場合には結婚式や披露宴の様子、さらには新婚旅行での様子をデジタルカメラで撮影した画像などが含まれる。
【００２６】続いて、イベントサポートシステム本体１の機能について説明する。
認証ＩＤ設定部２では、認証ＩＤデータベース１２、贈答者データベース１４及び被贈答者データベース１５から必要な情報を読み出して、贈答者及び各被贈答者にそれぞれ認証ＩＤを設定する。同様に、パスワード設定部３では、乱数データベース１３、贈答者データベース１４及び被贈答者データベース１５から必要な情報を読み出して、贈答者及び各被贈答者にそれぞれパスワードを設定する。そして、カード発行処理部４では、設定された認証ＩＤ及びパスワードを記載したカードを作成する。
【００２７】ホームページ処理部５では、贈答者やイベント会場から提供されて格納されているメッセージデータベース１７及び画像データベース１８からメッセージなどの音声情報及び画像情報を読み出して贈答者が主催するイベントに関する特定のホームページを作成する。なお、提供されるメッセージは入力部１９を介してメッセージ処理部９が受けてメッセージデータベース１７に格納し、同様に提供される画像は入力部１９を介して画像処理部１０が受けて画像データベース１８に格納される。
贈答者や被贈答者あるいはイベントに関連する人は予め知らされたりあるいは配布されるカードに記載された認証ＩＤ及びパスワードを使用するとホームページ処理部５で作成される専用のホームページにログインでき、イベントに関する情報やメッセージあるいは画像を閲覧することができる。
【００２８】商品閲覧選択部６では、被贈答者が認証ＩＤ及びパスワードを用いて専用のホームページにログインすると、被贈答者は、商品データベース１６に格納される商品情報に基づいて作成される商品閲覧選択ページを閲覧することができる。また、希望の商品を選択することができる。
なお、この商品閲覧選択ページもホームページ処理部５において作成されるものである。
そして、商品発送処理部７では、商品閲覧選択部６によって選択される商品の発送を指示する。
最後に、報告書発行部８では、商品の受注及び発送の進捗状況に関する報告書を作成して贈答者に発送する。この報告書には、後述するが、途中経過報告書と発送完了報告書とがある。
【００２９】ここで、図２を用いて、本実施の形態に係るイベントサポートシステムを利用する際の環境について説明する。
図２は、本実施の形態に係るイベントサポートシステムを利用する際の概略図である。
図２において、サーバ２６内に設置されたイベントサポートシステム本体１及びデータベース１１は、贈答者２１、イベント会場２２、取扱い企業２３、管理企業２４及び被贈答者２７が相互に関係するものである。
ここで、管理企業２４とはイベントサポートシステム本体１を管理する企業であり、取扱い企業２３とは管理企業２４が認定した個人や法人及び任意の団体等であり、イベントサポートシステム本体１を利用して商品の販売ができるものとする。
また、贈答者２１とは個人や法人及び任意の団体等であり、イベント会場２２とは結婚式場等の冠婚葬祭場やレストラン等を運営している個人や法人及び任意の団体等であり、取扱い企業２３及び管理企業２４が認定もしくは契約した相手である。
【００３０】まず、イベントを主催する贈答者２１は、結婚式場などのイベント会場２２にイベントの開催を申し込む。そして、イベント会場２２は、取扱い企業２３を介して、管理企業２４にイベントの登録を行う。なお、贈答者２１はイベントを行わずに贈答品のみの申し込みもでき、この場合は取扱い企業２３に直接申し込むことができる。
管理企業２４は、パソコン端末等によりインターネット２５を利用してサーバ２６にアクセスして、データベース１１に贈答者２１の情報を書き込む。なお、取扱い企業２３は管理企業２４を介さずに直接サーバ２６にアクセスすることができるが、この場合、取扱い企業２３は管理企業２４からサーバ２６へアクセスするための認証ＩＤとパスワードを受領する必要がある。
【００３１】取扱い企業２３又は管理企業２４によって書き込まれた情報に基づいて、イベントサポートシステム本体１では、贈答者２１専用のホームページを作成し、また、贈答者２１及び被贈答者２７に対して認証ＩＤ及びパスワードを発行し、そして、これらの認証ＩＤ及びパスワードを記載したカード２９を作成する。取扱い企業２３又は管理企業２４は、このカード２９を贈答者２１を介して被贈答者２７に送付する。なお、カード２９の送付は贈答者２１を介さずに取扱い企業２３又は管理企業２４から直接被贈答者２７へ送付されてもよい。
【００３２】被贈答者２７は配布される認証ＩＤ及びパスワードを用いて、パソコン端末等から贈答者２１専用のホームページにログインすることができ、イベントに関する情報を閲覧することができる。
さらに、贈答者２１から被贈答者２７に対して贈答品が設定されている場合は、商品を閲覧するページにログインできるようになっている。そして、希望の商品を選択して送付先等の情報を書き込むと、取扱い企業２３から注文商品３０の発送が行われる。なお、被贈答者２７は贈答品の受取りを第３者に変更することができ、この場合、取扱い企業２３は被贈答者２７が指定した受取人２８に注文商品３０を発送する。
【００３３】また、インターネットを使用しない環境にいる被贈答者２７に対する贈答品の送付については、カード２９に添付されるギフトカード３１を利用する。すなわち、被贈答者２７はギフトカード３１に希望の商品を書き込み返送すると、取扱い企業２３から注文商品３０を受け取ることができる。この場合、ギフトカード３１に何種類かの商品を記載するが、さらに、被贈答者２７からの注文によりさらに詳細のギフトカタログを送付するようにしておくこともできる。
このように、贈答者２１、イベント会場２２、取扱い企業２３、管理企業２４及び被贈答者２７が相互に関係してイベントサポートシステム本体１は機能するのである。
【００３４】続いて、本実施の形態に係るイベントサポートシステムの使用方法について図１並びに図３乃至図１５を参照しながら詳細に説明する。
図３は、本実施の形態に係るイベントサポートシステムにおける情報入力画面を出力部２０を用いて表示した状態を示す概念図である。
図３において、取扱い企業又は管理企業は、パソコン端末等を用いて贈答者に関する情報を各入力欄に入力する。入力された情報は、各々、図１に示す贈答者データベース１４、被贈答者データベース１５、メッセージデータベース１７及び画像データベース１８等のデータベース１１に格納される。そして、これらの情報に基づいて、ホームページ処理部５によって贈答者専用のホームページが作成される。さらに、認証ＩＤ設定部２及びパスワード設定部３によって贈答者及び各被贈答者に認証ＩＤ及びパスワードが設定される。
【００３５】図４は、本実施の形態に係るイベントサポートシステムにおける被贈答者管理リストの一例を示す概念図である。
図１の被贈答者データベース１５では、図４に示すように、各イベントに区別されて被贈答者に設定される認証ＩＤ及びパスワードとともに管理されている。なお、管理する内容は図示している認証ＩＤ、パスワード、氏名、電話番号及び住所に限定されるものではない。さらに、リスト中のステータスには、イベントへの出欠状況や贈答品の配送状況などに関する情報が格納される。
この図４に示される被贈答者に関する情報に基づいて、図１のカード発行処理部４によって、認証ＩＤ・パスワードを連絡するカードあるいは贈答品をお知らせするギフトカードが作成される。
【００３６】図５は、本実施の形態に係るイベントサポートシステムにおいて作成した認証ＩＤ・パスワード連絡カードの表面と裏面の概念図である。
図５において、左側半分は認証ＩＤ・パスワード連絡カードの表面を示すものであり、ここには被贈答者の住所などが記載されるようになっている。また、下部には認証ＩＤ３２とパスワード３３が記載されており、この部分は弱粘着シール等によって受取人である被贈答者本人が開封できるようになっている。また、右半分に示される認証ＩＤ・パスワード連絡カードの裏面には、結婚者や結婚式場の写真などのイベントに関するイベント画像３４と、結婚式の日時やホームページアドレスなどのイベントに関するイベント情報３５が記載されている。なお、認証ＩＤ・パスワード連絡カードは電子メールの形態にすることも可能である。
被贈答者はこの認証ＩＤ・パスワード連絡カードに記載された認証ＩＤ３２とパスワード３３を使用して、贈答者専用のホームページを閲覧することができる。
【００３７】図６は、本実施の形態に係るイベントサポートシステムにおけるスタート画面を出力装置を用いて表示した状態を示す概念図である。
被贈答者は上記の認証ＩＤ・パスワード連絡カードのイベント情報３５に記載されたホームページアドレスをパソコン端末等により入力するとインターネット上で、図６に示すようなイベントサポートシステムのスタート画面を閲覧することができる。図６において、図示していないが、被贈答者は贈答者専用のホームページの入口からログイン画面に入ることができる。
なお、図６において、イベントを主催する贈答者は、取扱い企業やイベント会場を介さずに直接イベントの登録を行うことができ、さらに、インターネット上で、取扱い企業やイベント会場等を選定することも可能である。
【００３８】図７は、本実施の形態に係るイベントサポートシステムにおけるログイン画面を出力部２０を用いて表示した状態を示す概念図である。
図７において、被贈答者は認証ＩＤ入力欄３６に認証ＩＤを、パスワード入力欄３７にパスワードを入力すると、認証されて、贈答者専用のホームページを閲覧することができる。なお、本実施の形態においては認証ＩＤとパスワードを一組として取り扱っているものの、１つのイベントに対して統一してＩＤを設定するなど各被贈答者毎の認証ＩＤの設定を省くことが可能な場合には、例えばパスワードのみでログイン可能として、種々の情報に対してアクセスや閲覧を可能としてもよいし、情報を格納可能としてもよい。
【００３９】図８は、本実施の形態に係るイベントサポートシステムにおいて作成した贈答者専用のホームページの一例を出力装置を用いて表示した状態を示す概念図である。
図８において、贈答者専用のホームページには、結婚式場などのイベント会場画像３８及び案内メッセージや３９結婚式などのイベント画像４０及びメッセージ４１等が掲載されている。
イベント会場画像３８には、結婚式場の宣伝等が静止画又は動画として収められており、また、イベント画像４０には、結婚式に関する画像が静止画又は動画として収められており、認証ＩＤ及びパスワードが配布される被贈答者はこれらの画像を自由に閲覧することができる。
イベント画像４０には、例えば、結婚式当日の画像を収録すると、病気等の諸事情により結婚式を欠席する被贈答者は、結婚式に出席できなくても結婚式の模様を生中継のような形態で鑑賞することができ、臨場感を得ることができる。
【００４０】また、イベントの開催前においては、例えば、結婚式当日の混乱を避けるために一般的に行われる前撮りといわれる写真撮影等の画像や、贈答者である結婚者からのビデオレターのような形態の動画を収めることも可能である。この場合は、複数の被贈答者によって自由にお祝いのメッセージ等を書き込んだり音声として録音することができるいわゆる掲示板を設置すると、結婚式あるいは結婚というイベントがより盛り上がり、思い出深いものになる。
さらに、イベント開催後においては、結婚式後の二次会の模様や新婚旅行の様子を収めることもできる。
【００４１】なお、これらのイベント画像４０は携帯電話等を用いて入力部１９へアクセスして送信すると、図１の画像処理部１０が受けて画像データベース１８に格納され、ホームページ処理部５は画像データベース１８からイベント画像４０を読み込むことで随時ホームページに反映される。また、メッセージ４１についてもイベント画像４０と同様に入力部１９、メッセージ処理部９、メッセージデータベース１７及びホームページ処理部５の機能によって随時更新することができる。
なお、携帯電話等を用いて入力部１９へアクセスしてイベント画像４０を送信する際には、特定の者からのみ画像データベース１８へ格納可能なように、メッセージ処理部９や画像処理部１０の内部にＩＤ認識部を設け、入力部１９からのアクセス者を認識し、それからメッセージ処理部９や画像処理部１０が画像データベース１８やメッセージデータベース１７へ画像や文書あるいは音声情報を格納可能とさせるとよい。
【００４２】さらに、これらのイベント画像４０及びメッセージ４１のホームページへの表示は、被贈答者毎に変更することができる。
このことについて図９を参照しながら説明する。図９は、本実施の形態におけるホームページ処理部５内の一部をさらに詳細に示す構成図である。
まず、ログイン時に入力部１９から入力された認証ＩＤをホームページ処理部５のＩＤ認識部５ａが認識する。そして、ホームページ処理部５のＩＤ−情報照合部５ｂは、この認証ＩＤに対応したイベント画像４０あるいはメッセージ４１を画像データベース１８やメッセージデータベース１７から読み出して出力部２０に出力する。この際には、イベント画像４０及びメッセージ４１を画像データベース１８やメッセージデータベース１７に格納する際に、イベント画像４０及びメッセージ４１毎にファイル名や簡単な記号などの情報を付加しておき、この付加された情報をホームページ処理部５において認証ＩＤと照合させて読み出すようにしておくとよい。
【００４３】あるいは、図４に示されるリスト中にステータスとして格納されている情報に従ってイベント画像４０及びメッセージ４１を読み出して表示するようにしてもよい。例えば、イベントへ欠席している被贈答者と出席している被贈答者に分けて選択することが可能となる。メッセージとしては、例えば披露宴の出席者では出席に対する礼を述べ、欠席者に対しては欠席を残念に思う気持ちを伝えるようなメッセージとする。また、画像としては出席者に対しては披露宴の画像ではなく新婚旅行の画像を選択し、欠席者に対しては披露宴の画像を選択するなどである。
イベント画像４０やメッセージ４１を格納する際に付加する情報として、認証ＩＤやステータス情報に対応した情報を付加することでイベント画像４０やメッセージ４１と認証ＩＤやステータス情報を結合させることができる。また、予めホームページ処理部５のＩＤ−情報照合部５ｂにおいて、認証ＩＤデータベース１２から認証ＩＤを読み出し、あるいは認証ＩＤを手がかりに被贈答者データベース１５からステータス情報を読み出して、画像データベース１８から読み出すイベント画像４０やメッセージデータベース１７から読み出すメッセージ４１を対応させるような設定を行うことでホームページ処理部５内で照合を行って画像やメッセージを選択することができる。
【００４４】なお、認証ＩＤやステータス情報とイベント画像４０やメッセージ４１に付される情報を対応させるような設定は、ホームページ内の画面を出力部２０に表示しながら入力部１９を介して行うことができるようにするとよい。
また、ホームページ処理部５によって提供される表示画面としては、共通の表示画面からさらに個別の被贈答者専用の画面を設定するようにしてもよい。
【００４５】次に、贈答者から被贈答者に贈答品が設定されている場合について説明する。
図１０は、本実施の形態に係るイベントサポートシステムにおいて作成したギフトカードの概略図である。図１０（ａ）は表面を示し、図１０（ｂ）は裏面を示すものである。
図１０（ａ）において、ギフトカードの表面には、認証ＩＤ・パスワード連絡カードと同様に認証ＩＤ３２、パスワード３３が記載され、図１０（ｂ）に示されるように裏面にはイベント画像３４及びイベント情報３５が記載されている。さらに、贈答品をはがきで申し込めるように返信はがき４２が添付されている。また、この返信はがき４２には贈答者に対するメッセージが記入できるメッセージ記入欄４３が設けられている。
被贈答者がインターネットを使用しない環境にある場合は、この返信はがき４２に住所等の必要事項を記入して返信すると、取扱い企業２５によって贈答者が指定した贈答品が被贈答者に送付されるようになっており、インターネットを使用しない被贈答者にとって利用しやすくなっている。また、贈答者に対してメッセージが記入できるメッセージ記入欄４３が設けられているので、改めて礼状を書く手間が省略できて便利である。なお、贈答品の選定は贈答者によって予め選定されてもよいし、被贈答者にギフトカタログ等を送付して被贈答者が選択するようにしてもよい。
【００４６】一方、インターネットを使用する環境にある場合は、イベント情報３５に記載されたホームページアドレスをパソコン端末等により入力するとインターネット上で、前述の図６に示すイベントサポートシステムのスタート画面に入る。そして、図７に示すログイン画面に入るので、ギフトカードに記載されている認証ＩＤ３２及びパスワード３３を各々の入力欄に入力すると、贈答品が設定された贈答者専用のホームページを閲覧することができる。
【００４７】図１１は、本実施の形態に係るイベントサポートシステムにおいて作成した贈答品が設定された贈答者専用のホームページの一例を出力装置を用いて表示した状態を示す概念図である。
図１１において、贈答品が設定された贈答者専用のホームページでは、図８に示す贈答者専用のホームページと同様に、結婚式場などのイベント会場画像３８及び案内メッセージ３９や、結婚式などのイベント画像４０及びメッセージ４１等が掲載されており、これらの画像及びメッセージの表示形態や方法は図８の場合と同様である。
贈答品が設定された贈答者専用のホームページでは、図８に示した贈答者専用のホームページの機能に加えて、贈答品である商品を選択するアイコン４４が設けられている。このアイコン４４には、インテリア雑貨や生活雑貨等、様々な商品が設定されている。被贈答者は好みの品目を表すアイコン４４から商品情報を自由に閲覧することができる。
【００４８】図１２は、本実施の形態に係るイベントサポートシステムにおける商品画面を出力装置を用いて表示した状態を示す概念図である。
図１２において、被贈答者は符号４５に示される第１の商品情報や符号４６に示される第２の商品情報を閲覧することができる。なお、これらの商品情報は、図１に示した商品データベース１６から読み出されて表示される。被贈答者は、希望の商品が決まったら、注文ボタン４７から商品注文ページに移行することができる。
【００４９】図１３は、本実施の形態に係るイベントサポートシステムにおける商品管理リストの一例を示す概念図である。
図１３において、各商品は商品ＩＤを有しており、その価格や在庫数などが管理された状態で、図１の商品データベース１６に格納されている。但し、管理される内容は図示している内容に限定されるものではない。
【００５０】図１４は、本実施の形態に係るイベントサポートシステムにおける商品注文画面を出力装置を用いて表示した状態を示す概念図である。
図１４において、被贈答者は名前や住所等の必要事項を各入力欄に入力して送信すると、図１の商品発送処理部７の指示により取扱い企業に商品が発注されて、その商品は被贈答者に送付される。なお、被贈答者は贈答品の受取りを第３者に変更することも可能で、その場合は、符号４８に示される届け先記入欄に必要事項を記入すると、取扱い企業は指定された届け先に注文商品を送付するのである。
さらに、この商品注文画面には、贈答者に対するメッセージ記入欄４９が設けられているので、お祝いやお礼のメッセージを書き込めば、贈答者へ届けられるようになっている。
【００５１】被贈答者からの注文商品の情報は、図１の商品発送処理部７で受ける。そして、商品発送処理部７では、商品データベース１６から商品の在庫数等の情報を読み出して発送の指示を取扱い企業に提示するのである。
また、被贈答者からの注文の有無は、商品発送処理部７によって被贈答者データベース１５へ書き込まれて格納される。注文の有無は、図４に示すリストの中のステータスの部分に書き込まれる。すなわち、同一の被贈答者が二度にわたって注文した場合、被贈答者データベース１５に記入された注文の有無を商品発送処理部７が識別して拒絶するので重複注文を防止することができる。なお、ギフトカードの返信はがきを利用して注文が行われる場合は、取扱い企業又は管理企業が被贈答者データベース１５に注文の有無を記入する。
【００５２】次に、本実施の形態に係るイベントサポートシステムにおける報告書について説明する。
図１５は、本実施の形態に係るイベントサポートシステムにおける途中経過報告書の一例を示す概念図である。
図１５に示す途中経過報告書は、贈答品が設定された場合のイベントに対して贈答者宛てに発行されるものであり、贈答品がどの程度受領されたかを贈答者が確認することができる。なお、途中経過報告書に記載する項目は、被贈答者と受領確認が認識できるものであれば特に限定されるものではない。
この途中経過報告書は、図１に示す報告書発行部８によって作成が指示され、例えば、日数などの経過時間に対して途中経過報告書の作成開始指示を設定しておき、自動的に途中経過を作成することもできるし、また、任意の時間に取扱い企業又は管理企業がパソコン端末等を用いて閲覧することもできる。
【００５３】さらに、図１６は、本実施の形態に係るイベントサポートシステムにおける発送完了報告書の一例を示す概念図である。
図１５に示す発送完了報告書は、図１５に示す途中経過報告書と同様に、図１に示す報告書発行部８によって作成され、贈答品が設定された場合のイベントに対して贈答者宛てに発行されるものである。発送完了報告書では、全ての贈答品が被贈答者に発送されたということを報告するものであり、この報告書の発送を持ってイベントサポートシステムの利用は終了としてもよいし、例えば披露宴では新郎新婦などからの要望に応じてイベントサポートシステムの一部分、すなわち画像やメッセージなどの閲覧部分については一定期間存続させるようにしてもよい。
【００５４】このように構成された本実施の形態においては、イベントを主催する贈答者が選定する被贈答者は、作成される贈答者専用のホームページを自由に閲覧することができる。そして、この閲覧は被贈答者に対して設定される固有の認証ＩＤ及びパスワードによって管理されるので、贈答者のプライバシーを守ることができる。
また、贈答者専用ホームページでは、イベント当日の画像を動画あるいは静止画として掲載することができるので、諸事情によりイベントを欠席する被贈答者もこの画像を閲覧することによってあたかもイベントに参加したかのような臨場感を得ることができる。
さらに、これらの画像や被贈答者宛てのメッセージは被贈答者毎に変更して表示することができるので、贈答者の感謝の気持ちなどをより強く被贈答者に伝達することができる。
【００５５】贈答者から贈答品が設定される場合では、インターネットを使用することによって被贈答者は数ある商品の中から自分の嗜好に合わせて贈答品を選定して迅速かつ確実に受領することができる。
一方、インターネットを使用しなくても返信はがきを送付することによって被贈答者は贈答品を確実に受領することができる。しかも、いずれの方法においても贈答者への返礼やお祝いのメッセージを送ることができるので便利である。
また、贈答者にとっては被贈答者のために贈答品を選定する必要がなく、時間と労力を節約することができる。
さらに、イベント画像やメッセージと認証ＩＤやステータス情報を関連付けることで、被贈答者など異なる認証ＩＤやステータス情報を有する者毎に異なるイベント画像やメッセージを提供することができ、贈答者からきめの細かい情報の提供が可能となる。
【００５６】次に、本実施の形態に係るイベントサポートシステムのカード発行処理部について説明する。（請求項７乃至請求項９に対応）
図１７は、本実施の形態に係るイベントサポートシステムのカード発行処理部の構成図である。
図１７において、カード発行処理部４は、前述の認証ＩＤ及びパスワードを記載するカードを作成する機能の他に、返礼カード発行処理部５０と後行事案内カード発行処理部５１による機能が備わっている。
【００５７】返礼カード発行処理部５０では、イベントに関係する被贈答者に対する返礼カードを作成することができる。そして、そのカードに掲載する内容は、被贈答者毎に変更することができる。
例えば、結婚式に関係する被贈答者に対して結婚の挨拶状を作成する場合、結婚式に参列した人に対しては新婚旅行の画像を掲載したものを作成し、結婚式に参列できなかった人に対しては結婚式の画像を掲載したものを作成することができる。同様に記載するメッセージについても被贈答者毎に変更することができる。
これらの画像は、贈答者あるいはイベント会場関係者が携帯電話等で撮影し入力部１９へアクセスして送信すると、図１に示す画像処理部１０が受けて画像データベース１８に格納される。また、メッセージについても、入力部１９から入力すると、メッセージ処理部９が受けてメッセージデータベース１７に格納される。そして、返礼カード発行処理部５０では、被贈答者データベース１５、画像データベース１８及びメッセージデータベース１７から必要な情報を読み取って返礼カードを作成するのである。
なお、被贈答者データベース１５には、結婚式等のイベントへの出欠の有無や祝電の受領等が識別できる識別情報を書き込むようにして、この識別情報を返礼カード発行処理部５０に処理させて、被贈答者毎に掲載内容の変更を行う。この返礼カード発行処理部５０における処理は、ホームページ処理部５における処理と同様に、返礼カード発行処理部５０内にＩＤ−情報照合部を設けておき、識別情報と被贈答者の認証ＩＤを照合することによって行うものでもよい。
【００５８】一方、後行事案内カード発行処理部５１では、葬儀などのイベントを行った場合、葬儀終了後に発生する法事や法要などの後行事に関する後行事案内カードを作成することができる。案内カードを作成する対象の人については、上述の返礼カード発行処理部５０の場合と同様に、被贈答者データベース１５において識別情報を書き込んでおき、後行事案内カード発行処理部５１に処理させる。
また、結婚後に出産した場合では、お七夜から七五三等まで子供の成長に関する行事の後行事案内カードを作成することもできる。
さらに、後行事案内カード発行処理部５１では、予め、贈答者にイベント終了後の後行事に関する情報の提供を電子メールあるいははがき送付によって行うので、贈答者は種々の行事を忘れることがなく便利である。
【００５９】このように構成された本実施の形態においては、贈答者は結婚式への参列や祝電等に対する被贈答者への返礼カードを容易に作成することができる。また、この返礼カードは被贈答者毎に掲載内容を変更できるので、被贈答者のイベントへの関係の度合いに対して細かい配慮ができる。
さらに、イベント終了後には、イベント終了後に開催される後行事に関する後行事案内カードを作成するので、贈答者はイベント終了後に時間を経ても後行事を忘れる心配がなく、精神的な負担が軽減される。
【００６０】次に、図１８を参照しながら、本発明の第１の実施の形態に係るイベントサポート方法について説明する。（請求項１０に対応）
図１８は、本第１の実施の形態に係るイベントサポート方法の工程を示す概念図である。
図１８において、ステップＳ１は、情報入力工程を示している。このステップＳ１では、取扱い企業又は管理企業がパソコン端末等の入力装置を用いて贈答者及び被贈答者に関する情報を入力する。そして、贈答者に関する情報は贈答者データベースへ、被贈答者に関する情報は被贈答者データベースへ格納される。
【００６１】次に、ステップＳ２は、認証ＩＤ発行工程を示している。このステップＳ２では、ステップＳ１において入力格納された贈答者データベース及び被贈答者データベースから贈答者及び被贈答者の情報を読み出して、さらに、予め入力格納されている認証ＩＤデータベースから必要な情報を読み出して、贈答者及び被贈答者毎に認証ＩＤを作成する。
【００６２】ステップＳ３は、パスワード発行工程を示している。このステップＳ３では、ステップＳ２と同様に、ステップＳ１において入力格納された贈答者データベース及び被贈答者データベースから贈答者及び被贈答者の情報を読み出して、さらに、予め入力格納されている乱数データベースから必要な情報を読み出して、贈答者及び被贈答者毎にパスワードを作成する。
【００６３】ステップＳ４は、カード作成・送付工程を示している。このステップＳ４では、ステップＳ２及びステップＳ３において作成した認証ＩＤ及びパスワードを記載したカードを作成し、贈答者及び被贈答者宛てに送付する。このステップＳ４において作成されるカードを受領することによって、贈答者及び被贈答者は認証ＩＤ及びパスワードを取得することができる。なお、カードを送付する手段は配送でも良いし、電子メールを用いてもよい。
【００６４】最後に、ステップＳ５は、ホームページ閲覧工程を示している。このステップＳ５では、贈答者及び被贈答者は専用ホームページを閲覧するための工程である。この専用ホームページを閲覧するにはステップＳ２及びステップＳ３において作成された認証ＩＤ及びパスワードの入力が必要であり、ステップＳ４においてこれらの認証ＩＤ及びパスワードを受領した贈答者及び被贈答者は専用のホームページを閲覧することができる。
このステップＳ５をさらに分解したものを図１９に示す。図１９において、ステップＳ５は、ＩＤ認識工程Ｓ５１とＩＤ−情報照合工程Ｓ５２と音声・文字・画像表示工程に分解されている。
ＩＤ認識工程Ｓ５１では、まず、専用ホームページを閲覧しようとする被贈答者の認証ＩＤを認識してホームページを閲覧してもよい関係者であるか否かを認識する。そして閲覧を許可する場合には、音声・文字・画像表示工程Ｓ５３に進み、予めデータベースなどに格納されている音声情報、文字情報または画像情報を読み出して表示する。
また、ＩＤ認識工程Ｓ５１において認識された被贈答者毎に、表示する情報を変化させる場合には、ＩＤ−情報照合工程Ｓ５２において、認識された認証ＩＤと表示する音声や文字あるいは画像情報をデータベースなどから読み出して照合した上で、音声・文字・画像情報表示工程Ｓ５３を実行する。
あるいは、ＩＤ認識工程Ｓ５１において認識された認証ＩＤから、被贈答者のステータス情報を読み出し、ＩＤ−情報照合工程Ｓ５２において、このステータス情報と表示する音声や文字あるいは画像情報を照合して、これらの音声、文字、画像情報を表示するようにしてもよい。すなわち、照合に用いる情報として認証ＩＤそのものの他、ステータス情報を用いてもよい。
このように音声、文字、画像情報と照合させるために、これらの情報に予めファイル名や簡単な記号などの情報を付して、読み出し可能にメモリなどに格納しておくとよい。
【００６５】このように構成された本第１の実施の形態においては、贈答者及び被贈答者に個別に認証ＩＤ及びパスワードを発行してこれらの認証によって、特定のホームページの閲覧を制限するので、ホームページに関するプライバシーを守ることができる。また、このように認識されたＩＤやステータス情報によって表示する情報を変化させることによって、より閲覧者の立場や状況、イベントを主催する者との関係に沿ったより適切な情報の表示が可能となる。
【００６６】続いて、図２０を参照しながら、本発明の第２の実施の形態に係るイベントサポート方法について説明する。（請求項１１に対応）
図２０は、本第２の実施の形態に係るイベントサポート方法の工程を示す概念図である。なお、本第２の実施の形態は、前述の第１の実施の形態において、贈答者から被贈答者に贈答品が設定されている場合のものであり、図２０において、ステップＳ１乃至ステップＳ５は、図１８に示す工程と同様であり、その説明は省略する。
図２０において、ステップＳ６は、商品閲覧・選択工程を示している。このステップＳ６では、専用のホームページにおいて贈答者から被贈答者へ設定された贈答品である商品を自由に閲覧することができる。さらに、被贈答者は希望の商品が見つかったら選択することができ、選択した商品情報を送信する。
【００６７】次に、ステップＳ７は、商品発送工程を示している。このステップＳ７では、ステップＳ６において選択された商品の発送を取扱い企業に指示し、被贈答者へ商品を届ける。したがって、被贈答者は自分の欲しい商品を贈答者からの贈答品として、迅速にかつ確実に受領することできる。
【００６８】最後に、ステップＳ８は、報告書作成・発送工程を示している。このステップＳ８では、被贈答者による贈答品の受領の有無に関する報告書の作成を指示し、発送する。この報告書には、途中経過報告書と完了報告書があり、途中経過報告書では、贈答者は被贈答者の贈答品の受領の経過を確認することができる。また、完了報告書では、被贈答者の贈答品の受領が完了したことを確認できる。
【００６９】このように構成された本第２の実施の形態においては、第１の実施の形態における効果に加えて、被贈答者は贈答者が設定した贈答品を専用のホームページで自由に閲覧して自分の嗜好に合わせて選択することができる。また、選択された商品は迅速にかつ確実に被贈答者に送付される。
さらに、被贈答者の贈答品の受領の有無を記す報告書を作成して発行するので、贈答者は贈答品の受領の度合いを確認することができる。
【００７０】次に、本発明の第１の実施の形態に係るイベントサポートプログラムについて説明する。（請求項１２に対応）
本発明の第１の実施の形態に係るイベントサポートプログラムは、図１８及び図１９を用いて説明した工程の内容をコンピュータにおいてそのまま実行させるものである。
すなわち、取扱い企業又は管理企業は、パソコン端末等の入力装置からコンピュータにアクセスして、このコンピュータに格納されたプログラムを起動し、情報入力工程Ｓ１、認証ＩＤ発行工程Ｓ２、パスワード発行工程Ｓ３、カード作成・送付工程Ｓ４を実行するものである。また、贈答者及び被贈答者は、パソコン端末等の入力装置からコンピュータにアクセスして、このコンピュータに格納されたプログラムを起動し、ホームページ閲覧工程Ｓ５を実行するものである。
【００７１】このプログラムを実行するに際しては、情報入力工程Ｓ１では、情報入力画面を読み出して出力部２０に表示させる。そして、取扱い企業又は管理企業が贈答者及び被贈答者に関する情報を入力部１９から入力すると、贈答者に関する情報は贈答者データベース１４へ、被贈答者に関する情報は被贈答者データベース１５に格納させる。
そして、認証ＩＤ発行工程Ｓ２では、格納された贈答者データベース１４及び被贈答者データベース１５から贈答者及び被贈答者の情報を読み出して、さらに、予め格納されている認証ＩＤデータベース１２から必要な情報を読み出して、贈答者及び被贈答者毎に認証ＩＤを作成して、再び贈答者データベース１４及び被贈答者データベース１５に格納する。
続いて、パスワード発行工程Ｓ３では、認証ＩＤ発行工程Ｓ２と同様に、格納された贈答者データベース１４及び被贈答者データベース１５から贈答者及び被贈答者の情報を読み出して、さらに、予め入力格納されている乱数データベース１３から必要な情報を読み出して、贈答者及び被贈答者毎にパスワードを作成して、再び贈答者データベース１４及び被贈答者データベース１５に格納する。
【００７２】カード作成・送付工程Ｓ４では、贈答者データベース１４及び被贈答者データベース１５から贈答者及び被贈答者の住所等の情報と各人の認証ＩＤ及びパスワードを読み出してカードに記載する。そして、カード発送の指令を行うかあるいは電子メールにてカードを送信する。
ホームページ閲覧工程Ｓ５では、贈答者及び被贈答者によって入力部１９から入力された認証ＩＤ及びパスワードを認証して専用ホームページを出力部２０に表示する。
また、細かい工程は図１９に示すとおりであり、また、先に方法の発明の実施の形態において説明したとおりである。ＩＤ−情報照合工程Ｓ５２では、メッセージデータベース１７や画像データベース１８に格納されている音声、文字、画像情報を読み出して、認証ＩＤと照合し、そして音声・文字・画像情報表示工程において、出力部２０に表示するようにする。
前述のとおり、音声、文字、画像情報には予めファイル名や簡単な記号などの情報を付した上でデータベースに格納することによって照合を可能とする。さらに、被贈答者を認識するために照合するのは、認証ＩＤのみならず、被贈答者データベース１５に格納されているステータス情報を用いてもよい。
このようなプログラムによって、贈答者及び被贈答者は専用のホームページを被贈答者毎に自由に閲覧することができるのである。
【００７３】このような本第１の実施の形態に係るイベントサポートプログラムおいても、イベントサポート方法の第１に実施の形態と同様の効果を奏することができる。
【００７４】続いて、本発明の第２の実施の形態に係るイベントサポートプログラムについて説明する。（請求項１３に対応）
本発明の第２の実施の形態に係るイベントサポートプログラムは、図２０を用いて説明した工程の内容をコンピュータにおいてそのまま実行させるものである。
なお、本第２の実施の形態は、前述の第１の実施の形態において、贈答者から被贈答者に贈答品が設定されている場合のものであり、情報入力工程Ｓ１、認証ＩＤ発行工程Ｓ２、パスワード発行工程Ｓ３、カード作成・送付工程Ｓ４及びホームページ閲覧工程Ｓ５についての説明は省略する。
【００７５】商品閲覧・選択工程Ｓ６では、贈答者から被贈答者へ贈答品が設定された場合において、専用のホームページに商品閲覧・選択ページを表示する。なお、この商品閲覧・選択ページは、商品データベース１６から読み出される情報に基づいている。そして、被贈答者によって選択される商品情報を受信して被贈答者データベース１５に格納する。
【００７６】商品発送工程Ｓ７では、被贈答者データベース１５に格納された商品情報及び被贈答者の住所、氏名等の情報を読み出して商品の発送を指示し、被贈答者データベース１５に商品発送に関する情報を書き込んで格納する。また、商品データベース１６を読み出して在庫等の情報を書き換えて格納する。
最後に、報告書作成・発送工程Ｓ８では、被贈答者データベース１５を読み出して被贈答者による贈答品の受領の有無に関する情報を読み出して報告書の作成を指示する。
【００７７】このような本第２の実施の形態に係るイベントサポートプログラムおいても、イベントサポート方法の第２に実施の形態と同様の効果を奏することができる。
【００７８】
【発明の効果】
以上説明したように、本発明の請求項１乃至請求項９に記載のイベントサポートシステム、請求項１０及び請求項１１に記載のイベントサポート方法、請求項１２及び請求項１３に記載のイベントサポートプログラムにおいては、イベントを主催する贈答者及びイベントに関する情報の閲覧を、被贈答者に配布される固有記号を管理することで、贈答者のプライバシーを守りながら、被贈答者は自由に行うことができる。
また、贈答者から贈答品が設定される場合では、被贈答者は、贈答品である商品に関する情報を自由に閲覧して選択できるので、自分の嗜好に合わせて贈答品を選定することができる。
さらに、返礼カードや後行事案内カードの作成などのイベントに関わる諸雑務をサポートするので贈答者は時間と労力を節約して安心してイベントを開催することができる。
【図面の簡単な説明】
【図１】本発明の本実施の形態に係るイベントサポートシステムの構成図である。
【図２】本実施の形態に係るイベントサポートシステムを利用する際の概略図である。
【図３】本実施の形態に係るイベントサポートシステムにおける情報入力画面を出力装置を用いて表示した状態を示す概念図である。
【図４】本実施の形態に係るイベントサポートシステムにおける被贈答者管理リストの一例を示す概念図である。
【図５】本実施の形態に係るイベントサポートシステムにおいて作成した認証ＩＤ・パスワード連絡カードの（ａ）表面、（ｂ）裏面の概念図である。
【図６】本実施の形態に係るイベントサポートシステムにおけるスタート画面を出力装置を用いて表示した状態を示す概念図である。
【図７】本実施の形態に係るイベントサポートシステムにおけるログイン画面を出力装置を用いて表示した状態を示す概念図である。
【図８】本実施の形態に係るイベントサポートシステムにおいて作成した贈答者専用のホームページの一例を出力装置を用いて表示した状態を示す概念図である。
【図９】本実施の形態におけるホームページ処理部内の一部をさらに詳細に示す構成図である。
【図１０】本実施の形態に係るイベントサポートシステムにおいて作成したギフト注文カードの概略図である。
【図１１】本実施の形態に係るイベントサポートシステムにおいて作成した贈答品が設定された贈答者専用のホームページの一例を出力装置を用いて表示した状態を示す概念図である。
【図１２】本実施の形態に係るイベントサポートシステムにおける商品画面を出力装置を用いて表示した状態を示す概念図である。
【図１３】本実施の形態に係るイベントサポートシステムにおける商品管理リストの一例を示す概念図である。
【図１４】本実施の形態に係るイベントサポートシステムにおける商品注文画面を出力装置を用いて表示した状態を示す概念図である。
【図１５】本実施の形態に係るイベントサポートシステムにおける途中経過報告書の一例を示す概念図である。
【図１６】本実施の形態に係るイベントサポートシステムにおける発送完了報告書の一例を示す概念図である。
【図１７】本実施の形態に係るイベントサポートシステムのカード発行処理部の構成図である。
【図１８】本発明の本第１の実施の形態に係るイベントサポート方法の工程を示す概念図である。
【図１９】本発明の本第１の実施の形態に係るイベントサポート方法の工程の一部を詳細に示す概念図である。
【図２０】本発明の本第２の実施の形態に係るイベントサポート方法の工程を示す概念図である。
【符号の説明】
１…イベントサポートシステム本体  ２…認証ＩＤ設定部  ３…パスワード設定部  ４…カード発行処理部  ５…ホームページ処理部  ５ａ…ＩＤ認識部  ５ｂ…ＩＤ−情報照合部  ６…商品閲覧選択部  ７…商品発送処理部  ８…報告書発行部  ９…メッセージ処理部  １０…画像処理部  １１…データベース  １２…認証ＩＤデータベース  １３…乱数データベース  １４…贈答者データベース１５…被贈答者データベース  １６…商品データベース  １７…メッセージデータベース  １８…画像データベース  １９…入力部  ２０…出力部  ２１…贈答者  ２２…イベント会場  ２３…取扱い企業  ２４…管理企業  ２５…インターネット  ２６…サーバ  ２７…被贈答者  ２８…被贈答者が指定した受取人  ２９…カード  ３０…注文商品  ３１…ギフトカード  ３２…認証ＩＤ  ３３…パスワード  ３４…イベント画像  ３５…イベント情報  ３６…認証ＩＤ入力欄３７…パスワード入力欄  ３８…イベント会場画像  ３９…案内メッセージ  ４０…イベント画像  ４１…メッセージ  ４２…返信はがき  ４３…メッセージ記入欄  ４４…アイコン  ４５…第１の商品情報  ４６…第２の商品情報  ４７…注文ボタン  ４８…届け先記入欄  ４９…メッセージ記入欄  ５０…返礼カード発行処理部  ５１…後行事案内カード発行処理部
【図１】
2004240545.tif 000003
【図２】
2004240545.tif 000004
【図３】
2004240545.tif 000005
【図４】
2004240545.tif 000006
【図５】
2004240545.tif 000007
【図６】
2004240545.tif 000008
【図７】
2004240545.tif 000009
【図８】
2004240545.tif 000010
【図９】
2004240545.tif 000011
【図１０】
2004240545.tif 000012
【図１１】
2004240545.tif 000013
【図１２】
2004240545.tif 000014
【図１３】
2004240545.tif 000015
【図１４】
2004240545.tif 000016
【図１５】
2004240545.tif 000017
【図１６】
2004240545.tif 000018
【図１７】
2004240545.tif 000019
【図１８】
2004240545.tif 000020
【図１９】
2004240545.tif 000021
【図２０】
2004240545.tif 000022